(57)【要約】【課題】被梱包物を容易に梱包できる梱包箱を提供する。【解決手段】被梱包物２を収容可能な箱本体４の下側開口部１６に、閉じた状態で下側開口部１６を閉塞する下側長フラップ２４，３４を開閉可能に設ける。下側長フラップ２４，３４に対向する支持面５２，７２を備えた支持台部４５，６５を下側開口部１６の互いに対向する折り目４４，６４にそれぞれ設ける。中蓋部８１の内側面に被梱包物２を保持する。被梱包物２を箱本体４の内方に向けて中蓋部８１の突出縁部８３を支持面５２，７２で支持する。下側長フラップ２４，３４と支持面５２，７２とで下側長フラップ２４，３４を閉じた状態で中蓋部８１の突出縁部８３を挟持固定する。被梱包物２が箱本体４内で動くことがないため、保護材などを箱本体４内に封入する必要がなく、被梱包物２を容易に梱包できる。【選択図】　　　　図１
2004083027.tif 000002
【特許請求の範囲】
【請求項１】
板紙材で形成され、矩形状の開口部を上側および下側に備え、被梱包物を収容可能な箱本体と、
この箱本体の上側および下側の少なくともいずれか一方の開口部に開閉可能に設けられ、閉じた状態で前記開口部を閉塞する蓋部と、
この蓋部が設けられた前記開口部の互いに対向する少なくとも一対の開口縁部にそれぞれ設けられ、前記蓋部に対向する支持面を備えた対をなす支持台部と、
被梱包物を内側面に保持しこの被梱包物の周縁部より外方に突出した突出縁部を形成する中蓋部とを具備し、
この中蓋部の突出縁部の少なくとも一部は、被梱包物を前記箱本体の内方に向けて前記支持台部の支持面に支持され、前記蓋部を閉じた状態でこの蓋部と前記支持台部の支持面とにより挟持固定される
ことを特徴とした梱包箱。
【請求項２】
支持台部の支持面における外側縁部にこの支持面に対して突出して設けられ、中蓋部の突出縁部を位置決め保持する位置決め部を具備したことを特徴とした請求項１記載の梱包箱。
【請求項３】
支持台部は、箱本体の蓋部が設けられた開口縁部から延出した一部を折り曲げて設けられた
ことを特徴とした請求項１または２記載の梱包箱。
【請求項４】
支持台部は、箱本体の蓋部が設けられた開口縁部から延出した一部を折り曲げて設けられ、
位置決め部は、支持台部の折り曲げにより支持面における外側縁部にこの支持面に対して突出して切り起こし形成された
ことを特徴とした請求項２記載の梱包箱。
【請求項５】
貫通孔を備え、箱本体における蓋部が設けられた開口部と反対側の開口部に設けられこの開口部の少なくとも一部を閉塞する蓋板部を具備し、
支持台部は、前記貫通孔に挿通されて前記支持台部を前記蓋板部に固定する突出片部が先端側に設けられた
ことを特徴とした請求項３または４記載の梱包箱。
【請求項６】
突出片部は、支持台部の先端側の折り曲げにより切り起こし形成された
ことを特徴とした請求項５記載の梱包箱。
【請求項７】
中蓋部は、透明なフィルムにて被梱包物と一体に封止された
ことを特徴とする請求項１ないし６いずれか一記載の梱包箱。
【請求項８】
中蓋部は、箱本体の下側の開口部に支持された
ことを特徴とした請求項１ないし７いずれか一記載の梱包箱。
【発明の詳細な説明】
【０００１】
【発明の属する技術分野】
本発明は、被梱包物を収容可能な箱本体を備えた梱包箱に関する。
【０００２】
【従来の技術】
従来、この種の梱包箱は、ボール紙などの板紙材にて略矩形箱状に形成された箱本体を備えており、この箱本体の上部には、例えばＣＤ−ＲＯＭ、あるいは取扱説明書などの被梱包物を出し入れする開口部が形成されている。
【０００３】
また、開口部の開口縁部には、開閉可能に設けられ閉じた状態で開口部を閉塞する上蓋部が箱本体と一体に設けられている。
【０００４】
そして、被梱包物を開口部から箱本体内に入れた後、例えば発泡ウレタンの小片、あるいは気泡緩衝シートなどの保護材を被梱包物の周囲に多数配設して上蓋部にて開口部を閉塞し、被梱包物の箱本体内での動きを抑制して、被梱包物の箱本体内での損傷を防止する。
【０００５】
【発明が解決しようとする課題】
しかしながら、上述の梱包箱では、被梱包物の箱本体内での動きおよび損傷を防止するために、保護材を箱本体内に多数封入しなければならず、被梱包物の梱包の手間がかかるという問題点を有している。
【０００６】
本発明はこのような点に鑑みなされたもので、被梱包物を容易に梱包できる梱包箱を提供することを目的とする。
【０００７】
【課題を解決するための手段】
請求項１記載の梱包箱は、板紙材で形成され、矩形状の開口部を上側および下側に備え、被梱包物を収容可能な箱本体と、この箱本体の上側および下側の少なくともいずれか一方の開口部に開閉可能に設けられ、閉じた状態で前記開口部を閉塞する蓋部と、この蓋部が設けられた前記開口部の互いに対向する少なくとも一対の開口縁部にそれぞれ設けられ、前記蓋部に対向する支持面を備えた対をなす支持台部と、被梱包物を内側面に保持しこの被梱包物の周縁部より外方に突出した突出縁部を形成する中蓋部とを具備し、この中蓋部の突出縁部の少なくとも一部が、被梱包物を前記箱本体の内方に向けて前記支持台部の支持面に支持され、前記蓋部を閉じた状態でこの蓋部と前記支持台部の支持面とにより挟持固定されるものである。
【０００８】
そして、被梱包物を収容可能な箱本体の上側および下側の少なくともいずれか一方の開口部に、閉じた状態でこの開口部を閉塞する蓋部を開閉可能に設け、この開口部の互いに対向する少なくとも一対の開口縁部に、蓋部に対向する支持面を備えた対をなす支持台部をそれぞれ設け、被梱包物を内側面に保持しこの被梱包物の周縁部より外方に突出した中蓋部の突出縁部の少なくとも一部を、被梱包物を箱本体の内方に向けて支持面で支持して、蓋部と支持台部の支持面とにより蓋部を閉じた状態で挟持固定する。この結果、中蓋部の内側面に保持された被梱包物が中蓋部とともに蓋部と支持台部の支持面とにより挟持固定されて箱本体内で動くことがないため、例えば保護材などを箱本体内に封入する必要がなく、被梱包物を容易に梱包できる。
【０００９】
請求項２記載の梱包箱は、請求項１記載の梱包箱において、支持台部の支持面における外側縁部にこの支持面に対して突出して設けられ、中蓋部の突出縁部を位置決め保持する位置決め部を具備したものである。
【００１０】
そして、支持台部の支持面における外側縁部に突出し中蓋部の突出縁部を位置決め保持する位置決め部を設けることにより、中蓋部とともに封止された被梱包物を位置決め部にて位置決め保持して箱本体内に収容できるので、被梱包物が箱本体に対して位置ずれすることなく、被梱包物をより容易に梱包できる。
【００１１】
請求項３記載の梱包箱は、請求項１または２記載の梱包箱において、支持台部が、箱本体の蓋部が設けられた開口縁部から延出した一部を折り曲げて設けられたものである。
【００１２】
そして、箱本体の蓋部が設けられた開口縁部から延出した一部を折り曲げて支持台部を設けることにより、支持台部を容易に設けることができる。
【００１３】
請求項４記載の梱包箱は、請求項２記載の梱包箱において、支持台部が、箱本体の蓋部が設けられた開口縁部から延出した一部を折り曲げて設けられ、位置決め部は、支持台部の折り曲げにより支持面における外側縁部にこの支持面に対して突出して切り起こし形成されたものである。
【００１４】
そして、箱本体の蓋部が設けられた開口縁部から延出した一部を折り曲げて支持台部を設け、位置決め部がこの支持台部の折り曲げにより支持面の外側縁部に支持面に対して突出して切り起こし形成されることにより、支持台部を折り曲げるだけで板紙材を有効に利用しつつ位置決め部を容易に形成できる。
【００１５】
請求項５記載の梱包箱は、請求項３または４記載の梱包箱において、貫通孔を備え、箱本体における蓋部が設けられた開口部と反対側の開口部に設けられこの開口部の少なくとも一部を閉塞する蓋板部を具備し、支持台部は、前記貫通孔に挿通されて前記支持台部を前記蓋板部に固定する突出片部が先端側に設けられたものである。
【００１６】
そして、箱本体における蓋部が設けられた開口部と反対側の開口部に、貫通孔を備えこの開口部の少なくとも一部を閉塞する蓋板部を設け、支持台部の先端側に、貫通孔に挿通されて支持台部を蓋板部に固定する突出片部を設けることにより、支持台部の突出片部により支持台部が蓋板部に固定され、中蓋部および被梱包物をより確実に支持面にて支持できる。
【００１７】
請求項６記載の梱包箱は、請求項５記載の梱包箱において、突出片部が、支持台部の先端側の折り曲げにより切り起こし形成されたものである。
【００１８】
そして、支持台部の先端側の折り曲げにより突出片部が切り起こし形成されることにより、板紙材を有効に利用しつつ突出片部を容易に形成できる。
【００１９】
請求項７記載の梱包箱は、請求項１ないし６いずれか一記載の梱包箱において、中蓋部は、透明なフィルムにて被梱包物と一体に封止されたものである。
【００２０】
そして、透明なフィルムにて中蓋部と被梱包物とを一体に封止することにより、フィルムを介して被梱包物を容易に目視確認できる。
【００２１】
請求項８記載の梱包箱は、請求項１ないし７いずれか一記載の梱包箱において、中蓋部は、箱本体の下側の開口部に支持されたものである。
【００２２】
そして、中蓋部を箱本体の下側の開口部に支持することにより、被梱包物が上側になった状態で箱本体に収容されるため、上側の開口部から被梱包物を臨むことができるので、被梱包物を容易に目視確認できる。
【００２３】
【発明の実施の形態】
以下、本発明の梱包箱の一実施の形態の構成を図１ないし図３を参照して説明する。
【００２４】
図１において、１は例えばＣＤ−ＲＯＭ、あるいは取扱説明書などの被梱包物２を収容して梱包する梱包箱である。この梱包箱１は、例えば段ボール紙などの板紙材３で略矩形箱状に形成された箱本体４を備えている。この箱本体４は、被梱包物２よりも大きく形成されているため、被梱包物２を収容可能である。
【００２５】
ここで、図２に示すように、箱本体４は、矩形状の第１の端板部５を有している。この第１の端板部５は、例えば幅寸法が高さ寸法よりも若干大きく形成されている。また、第１の端板部５の幅方向の側部には、第１の端板部５の高さ方向、すなわち鉛直方向に形成された折り目６を介して細長矩形状の第１の側板部７が連接形成されている。
【００２６】
この第１の側板部７は、第１の端板部５の高さ寸法よりも板紙材３の厚さ寸法程度大きい高さ寸法を有しており、第１の端板部５と上側が略面一に形成されている。すなわち、第１の側板部７は、第１の端板部５よりも下側に板紙材３の厚さ寸法程度突出している。
【００２７】
さらに、第１の側板部７は、幅寸法が高さ寸法よりも大きく形成されており、第１の側板部７の幅寸法は第１の端板部５の幅寸法よりも大きく形成されている。したがって、第１の側板部７は幅方向に細長い矩形状に形成されている。
【００２８】
そして、第１の側板部７の幅方向の側部である折り目６と反対側には、第１の側板部７の高さ方向である鉛直方向、すなわち折り目６と略平行に形成された折り目８を介して第２の端板部９が連接形成されている。
【００２９】
この第２の端板部９は、第１の端板部５と略等しい形状を有している。したがって、この第２の端板部９は、幅寸法が高さ寸法よりも若干大きく形成されている。また、第２の端板部９の幅方向の側部である折り目８と反対側には、第２の端板部９の高さ方向である鉛直方向、すなわち折り目８と略平行に形成された折り目１１を介して細長矩形状の第２の側板部１２が連接形成されている。
【００３０】
この第２の側板部１２は、第１の側板部７と略等しい形状を有している。したがって、この第２の側板部１２は、第２の端板部９の高さ寸法よりも板紙材３の厚さ寸法程度大きい高さ寸法を有しており、第２の端板部９と上側が略面一に形成されて第２の端板部９よりも下側に板紙材３の厚さ寸法程度突出した幅方向に細長い矩形状に形成されている。
【００３１】
さらに、第２の側板部１２の幅方向の側部である折り目１１と反対側には、第２の側板部１２の高さ方向である鉛直方向、すなわち折り目１１と略平行に形成された折り目１３を介して細長矩形状の接合部１４が連接形成されている。
【００３２】
この接合部１４は、第２の側板部１２の高さ方向に長手方向を有しており、幅寸法が第１および第２の端板部５，９よりも小さく形成されている。そして、折り目６，８，１１から第１の端板部５、第１の側板部７、第２の端板部９および第２の側板部１２を、矩形を形成するようにそれぞれ折り曲げ、折り目１３から接合部１４を折り曲げて第１の端板部５の幅方向における折り目６と反対側の側部の内側面に例えば両面テープなどにて接合することにより、図１に示すように箱本体４が上側および下側に開口部としての矩形状の上側開口部１５および下側開口部１６を有する矩形箱状に形成される。
【００３３】
したがって、第１および第２の端板部５，９と第１および第２の側板部７，１２とは、それぞれ箱本体４の両端部および両側部を形成しており、第１および第２の端板部５，９と第１および第２の側板部７，１２との上端部および下端部がそれぞれ開口縁部としての上側開口縁部１７および下側開口縁部１８となっている。
【００３４】
また、第１の側板部７の上端部、すなわち上側開口部１５の上側開口縁部１７の一側には、図２に示すように、折り目２１を介して蓋板部としての上側長フラップ２２が第１の側板部７と連接形成されている。この上側長フラップ２２は、第１の側板部７の幅方向である箱本体４の長手方向に長手方向を有する細長矩形状に形成されており、第１の側板部７の幅寸法と略等しい長手寸法、かつ第１および第２の端板部５，９の幅寸法の約半分と略等しい幅寸法を有している。
【００３５】
さらに、第１の側板部７の下端部、すなわち下側開口部１６の下側開口縁部１８の一側には、折り目２３を介して蓋部としての下側長フラップ２４が第１の側板部７と連接形成されている。この下側長フラップ２４は、第１の側板部７の幅方向に長手方向を有する細長矩形状に形成されており、第１の側板部７の幅寸法と略等しい長手寸法、かつ第１および第２の端板部５，９の幅寸法の約半分と略等しい幅寸法を有している。
【００３６】
また、下側長フラップ２４は、折り目２３から折り曲げられることにより、箱本体４の下側開口部１６の約半分を開閉可能に閉塞する。
【００３７】
そして、下側長フラップ２４の折り目２３と反対側の端部である先端側における長手方向の両側部には、略細長矩形状の切欠部２５がそれぞれ形成されている。これら切欠部２５は、下側長フラップ２４の幅方向に長手方向を有しており、板紙材３の厚さ寸法と略等しい幅寸法に切り欠き形成されており、下側長フラップ２４の先端側にまで亘って設けられている。
【００３８】
また、第２の側板部１２の上端部、すなわち上側開口部１５の上側開口縁部１７の他側には、第１の側板部７と同様に、折り目３１を介して蓋板部としての上側長フラップ３２が第２の側板部１２と連接形成されている。この上側長フラップ３２は、上側長フラップ２２と略等しい形状を有している。すなわち、この上側長フラップ３２は、第２の側板部１２の幅方向である箱本体４の長手方向に長手方向を有する細長矩形状に形成されており、第２の側板部１２の幅寸法と略等しい長手寸法、かつ第１および第２の端板部５，９の幅寸法の約半分と略等しい幅寸法を有している。
【００３９】
したがって、上側長フラップ２２，３２をそれぞれ折り目２１，３１から箱本体４の内方へと折り曲げて上側開口部１５を被覆することにより、上側開口部１５全体が閉塞されている。
【００４０】
さらに、第２の側板部１２の下端部、すなわち下側開口部１６の下側開口縁部１８の他側には、第１の側板部７と同様に、折り目３３を介して蓋部としての下側長フラップ３４が第２の側板部１２と連接形成されている。この下側長フラップ３４は、第２の側板部１２の幅方向に長手方向を有する細長矩形状に形成されており、第２の側板部１２の幅寸法と略等しい長手寸法、かつ第１および第２の端板部５，９の幅寸法の約半分と略等しい幅寸法を有している。
【００４１】
また、下側長フラップ３４は、折り目３３から折り曲げられることにより、箱本体４の下側開口部１６における下側長フラップ２４と反対側の約半分を開閉可能に閉塞する。
【００４２】
したがって、下側長フラップ２４，３４をそれぞれ折り目２３，３３から箱本体４の内方へと折り曲げて下側開口部１６を被覆することにより、下側開口部１６全体が閉塞されている。
【００４３】
そして、下側長フラップ３４の折り目３３と反対側の端部である先端側における長手方向の両側部には、下側長フラップ２４と同様に、略細長矩形状の切欠部３５がそれぞれ形成されている。これら切欠部３５は、下側長フラップ３４の幅方向に長手方向を有しており、板紙材３の厚さ寸法と略等しい幅寸法に切り欠き形成されており、下側長フラップ３４の先端側にまで亘って設けられている。
【００４４】
また、第１の端板部５の上端部、すなわち上側開口部１５の上側開口縁部１７の一端には、折り目４１を介して蓋板部としての矩形状の上側短フラップ４２が連接形成されている。この上側短フラップ４２は、第１の端板部５の幅方向に長手方向を有しており、第１の端板部５の幅寸法と略等しい長手寸法、かつ上側長フラップ２２，３２の幅寸法と略等しい幅寸法を有している。
【００４５】
さらに、上側短フラップ４２の長手方向の中心域における折り目４１の近傍には、上側短フラップ４２の長手方向に長手方向を沿わせた細長矩形状の貫通孔４３が設けられている。この貫通孔４３は、板紙材３の厚さ寸法よりも若干大きい幅寸法を有している。
【００４６】
そして、第１の端板部５の下端部、すなわち下側開口部１６の下側開口縁部１８の一端には、折り目４４を介して支持台部４５が連接形成されている。したがって、支持台部４５は下側開口部１６の下側開口縁部１８の折り目４４から延出している。さらに、この支持台部４５は、第１の端板部５の幅方向である箱本体４の幅方向に長手方向を有しており、第１の端板部５の幅寸法と略等しい長手寸法、かつ第１の端板部５の高さ寸法よりも大きい幅寸法を有している。
【００４７】
また、支持台部４５における折り目４４の近傍には、折り目４４と平行な折り目４６が形成されている。この折り目４６と折り目４４との間の距離は、折り目４１と貫通孔４３との間の距離と略等しく形成されている。さらに、折り目４４には、細長矩形状の切込部５１が折り目４６側に突出して形成されている。この切込部５１は、支持台部４５の長手方向である第１の端板部５の幅方向、すなわち箱本体４の幅方向に長手方向を有しており、長手寸法が切欠部２５，３５の長手寸法の約２倍に形成されている。
【００４８】
したがって、支持台部４５を折り目４４から下側開口部１６の内方へと折り曲げ、さらに支持台部４５を折り目４６から第１の端板部５と略平行になるように折り曲げることにより、支持台部４５における折り目４４と折り目４６との間の領域が、図１に示すように支持面５２として形成され、この支持面５２における外側縁部が切込部５１から切り起こし形成されて支持面５２に対して突出した位置決め部５３となる。
【００４９】
ここで、支持面５２は、第１の端板部５の面方向に対して垂直に形成されており、第１の端板部５と第１の側板部７との高さ寸法の差により、折り目２３，３３から折り曲げて閉じた状態にした下側長フラップ２４，３４に、板紙材３の厚さ寸法程度の空隙を介して対向して形成されている。
【００５０】
また、位置決め部５３は、下側長フラップ２４，３４を折り目２３，３３から折り曲げて閉じた状態にした際に、これら下側長フラップ２４，３４の切欠部２５，３５に嵌合してこれら下側長フラップ２４，３４と干渉しないようになっている。
【００５１】
そして、支持台部４５の幅方向における折り目４４と反対側の端部、すなわち支持台部４５の先端側には、図２に示すように、支持台部４５の幅方向に平行にミシン目５４が設けられている。このミシン目５４は、支持台部４５の先端側から、折り目４１と貫通孔４３との間の距離分である支持台部４５の支持面５２の幅寸法分離間されており、支持台部４５の折り目４６とミシン目５４との間の距離は、第１の端板部５の高さ寸法と略等しく形成されている。
【００５２】
また、ミシン目５４には、細長矩形状の先端切込部５５が支持台部４５の先端側に突出して形成されている。この先端切込部５５は、支持台部４５の長手方向である第１の端板部５の幅方向、すなわち箱本体４の幅方向に長手方向を有しており、長手寸法が貫通孔４３の長手寸法と略等しく形成されている。
【００５３】
したがって、支持台部４５を第１の端板部５の内側にこの第１の端板部５と平行に形成した状態で支持台部４５の先端側をミシン目５４から第１の端板部５に向けて折り曲げることにより、支持台部４５におけるミシン目５４と支持台部４５の先端側との間の領域の一部が、先端切込部５５から切り起こし形成されて突出片部５６となる。そして、図３に示すように、この突出片部５６を貫通孔４３に挿通させることにより、支持台部４５が上側短フラップ４２に固定される。
【００５４】
また、第２の端板部９の上端部、すなわち上側開口部１５の上側開口縁部１７の他端には、図２に示すように、折り目６１を介して蓋板部としての矩形状の上側短フラップ６２が連接形成されている。この上側短フラップ６２は、第２の端板部９の幅方向に長手方向を有しており、第２の端板部９の幅寸法と略等しい長手寸法、かつ上側長フラップ２２，３２の幅寸法と略等しい幅寸法を有している。すなわち、上側短フラップ６２は、上側短フラップ４２と略等しい形状を有している。
【００５５】
さらに、上側短フラップ６２の長手方向の中心域における折り目６１の近傍には、上側短フラップ６２の長手方向に長手方向を沿わせた細長矩形状の貫通孔６３が設けられている。この貫通孔６３は、板紙材３の厚さ寸法よりも若干大きい幅寸法を有している。
【００５６】
そして、第２の端板部９の下端部、すなわち折り目４４に対向した下側開口部１６の下側開口縁部１８の他端には、第１の端板部５と同様に、折り目６４を介して支持台部６５が連接形成されている。したがって、支持台部６５は下側開口部１６の下側開口縁部１８の折り目６４から延出している。さらに、この支持台部６５は、第２の端板部９の幅方向である箱本体４の幅方向に長手方向を有しており、第２の端板部９の幅寸法と略等しい長手寸法、かつ第２の端板部９の高さ寸法よりも大きい幅寸法を有している。すなわち、支持台部６５は、支持台部４５と略等しい形状を有している。
【００５７】
また、支持台部６５における折り目６４の近傍には、折り目６４と平行な折り目６６が形成されている。この折り目６６と折り目６４との間の距離は、折り目６１と貫通孔６３との間の距離と略等しく形成されている。さらに、折り目６４には、細長矩形状の切込部７１が折り目６６側に突出して形成されている。この切込部７１は、支持台部６５の長手方向である第２の端板部９の幅方向、すなわち箱本体４の幅方向に長手方向を有しており、長手寸法が切欠部２５，３５の長手寸法の約２倍に形成されている。
【００５８】
したがって、支持台部６５を折り目６４から下側開口部１６の内方へと折り曲げ、さらに支持台部６５を折り目６６から第２の端板部９と略平行になるように折り曲げることにより、支持台部６５における折り目６４と折り目６６との間の領域が、図１に示すように支持面７２として形成され、この支持面７２における外側縁部が切込部７１から切り起こし形成されて支持面７２に対して突出した位置決め部７３となる。
【００５９】
ここで、支持面７２は、第２の端板部９の面方向に対して垂直に形成されており、第２の端板部９と第２の側板部１２との高さ寸法の差により、折り目２３，３３から折り曲げて閉じた状態にした下側長フラップ２４，３４に、板紙材３の厚さ寸法程度の空隙を介して対向して形成されている。
【００６０】
また、位置決め部７３は、下側長フラップ２４，３４を折り目２３，３３から折り曲げて閉じた状態にした際に、これら下側長フラップ２４，３４の切欠部２５，３５に嵌合してこれら下側長フラップ２４，３４と干渉しないようになっている。
【００６１】
そして、支持台部６５の幅方向における折り目６４と反対側の一端部、すなわち支持台部６５の先端側には、図２に示すように、支持台部６５の幅方向に平行にミシン目７４が設けられている。このミシン目７４は、支持台部６５の先端側から、折り目６１と貫通孔６３との間の距離分である支持台部６５の支持面７２の幅寸法分離間されており、支持台部６５の折り目６６とミシン目７４との間の距離は、第２の端板部９の高さ寸法と略等しく形成されている。
【００６２】
また、ミシン目７４には、細長矩形状の先端切込部７５が支持台部６５の先端側に突出して形成されている。この先端切込部７５は、支持台部６５の長手方向である第２の端板部９の幅方向、すなわち箱本体４の幅方向に長手方向を有しており、長手寸法が貫通孔６３の長手寸法と略等しく形成されている。
【００６３】
したがって、支持台部６５を第２の端板部９の内側にこの第２の端板部９と平行に形成した状態で支持台部６５の先端側をミシン目７４から第２の端板部９に向けて折り曲げることにより、支持台部６５におけるミシン目７４と支持台部６５の先端側との間の領域の一部が、先端切込部７５から切り起こし形成されて突出片部７６となる。そして、図３に示すように、この突出片部７６を貫通孔６３に挿通させることにより、支持台部６５が上側短フラップ６２に固定される。
【００６４】
また、被梱包物２の背面は、図１に示すように、中蓋部８１の内側面に保持されている。この中蓋部８１は、例えば板紙材３と略等しい厚さ寸法を有する板紙材８２にて形成されており、箱本体４の下側開口部１６に沿った矩形状に形成され、被梱包物２よりも平面視で大きく形成されている。このため、中蓋部８１の外縁部が被梱包物２の周縁部より平面視で外方に突出した突出縁部８３となっている。
【００６５】
この突出縁部８３は、被梱包物２を箱本体４の内方に向けて中蓋部８１を支持面５２，７２で支持する際に、これら支持面５２，７２に当接するとともに、位置決め部５３，７３により両端部を位置決め保持され、かつ下側長フラップ２４，３４を閉じた状態でこれら下側長フラップ２４，３４と支持面５２，７２とにより挟持固定される。
【００６６】
さらに、中蓋部８１は、透明、かつ収縮性を有する収縮フィルムなどのフィルム８４により被梱包物２とともに封止された、いわゆるシュリンク包装により一体となっている。この状態で、被梱包物２の中蓋部８１に対する突出寸法は、箱本体４の高さ寸法、すなわち第１および第２の側板部７，１２の高さ寸法よりも小さくなっている。
【００６７】
次に、上記一実施の形態による梱包方法を説明する。
【００６８】
まず、第１の端板部５に略直交するように折り目６から第１の側板部７を折り曲げる。
【００６９】
次いで、第１の端板部５と対向する方向に、第１の側板部７に対して略直交するように折り目８から第２の端板部９を折り曲げる。
【００７０】
さらに、第１の側板部７と対向する方向に、第２の端板部９に対して略直交するように折り目１１から第２の側板部１２を折り曲げる。
【００７１】
そして、折り目１３から折り曲げた接合部１４を第１の端板部５の折り目６と反対側の側部の内側面に貼着して、箱本体４を形成する。
【００７２】
また、上側短フラップ４２，６２を箱本体４の上側開口部１５の内方に向けて、それぞれ第１および第２の端板部５，９と略直交するように折り目４１，６１から折り曲げる。
【００７３】
さらに、支持台部４５，６５を箱本体４の下側開口部１６の内方に向けて、それぞれ第１および第２の端板部５，９と略直交するように折り目４４，６４から折り曲げるとともに、支持台部４５，６５を第１および第２の端板部５，９と略平行になるように折り目４６，６６から折り曲げると、支持台部４５の折り目４４と折り目４６との間の領域および支持台部６５の折り目６４と折り目６６との間の領域が支持面５２，７２として形成されるとともに、支持面５２，７２の一部が切込部５１，７１から位置決め部５３，７３が切り起こし形成される。
【００７４】
この後、支持台部４５，６５の先端側を第１および第２の端板部５，９に略直交するようにミシン目５４，７４から第１および第２の端板部５，９側にそれぞれ折り曲げて切り起こし形成した突出片部５６，７６を貫通孔４３，６３にそれぞれ挿通し、支持台部４５，６５を上側短フラップ４２，６２にそれぞれ固定する。
【００７５】
この状態で、箱本体４の下側開口部１６を上側にし、被梱包物２と一体に封止した中蓋部８１を、被梱包物２を箱本体４の内側に向けた状態で支持台部４５，６５に載置すると、中蓋部８１の突出縁部８３が支持台部４５，６５の支持面５２，７２に支持される。
【００７６】
このとき、中蓋部８１の突出縁部８３の長手方向の両側部が位置決め部５３，７３により位置決め保持されるため、被梱包物２が箱本体４の略中央に位置する。
【００７７】
そして、下側長フラップ２４，３４を箱本体４の下側開口部１６の内方に向けて、それぞれ第１および第２の側板部７，１２と略直交するように折り目２３，３３から折り曲げて下側開口部１６全体を被覆しつつ突出縁部８３を支持台部４５，６５の支持面５２，７２との間で挟持固定する。
【００７８】
ここで、第１および第２の側板部７，１２が第１および第２の端板部５，９よりも下側に板紙材３の厚さ寸法分程度突出していることにより、中蓋部８１の突出縁部８３を下側長フラップ２４，３４と支持台部４５，６５の支持面５２，７２とで挟持すると、この中蓋部８１の突出縁部８３の厚さ寸法により、下側長フラップ２４，３４が閉じた状態で略水平に形成される。
【００７９】
さらに、下側長フラップ２４，３４の先端部の間に第１および第２の端板部５，９間に亘ってテープなどを貼着して下側長フラップ２４，３４が開かないように固定する。
【００８０】
この後、箱本体４を反転させて上側開口部１５を上側にし、上側長フラップ２２，３２を、上側開口部１５の内方に向けて、それぞれ第１および第２の側板部７，１２と略直交するように折り目２１，３１から折り曲げて上側長フラップ２２，３２にて上側開口部１５を閉塞し、これら上側長フラップ２２，３２の間に第１および第２の側板部７，１２間に亘ってテープなどを貼着して上側長フラップ２２，３２が開かないように固定して、被梱包物２を梱包する。
【００８１】
次に、上記一実施の形態の作用効果を説明する。
【００８２】
被梱包物２を収容可能な箱本体４の下側開口部１６に、閉じた状態でこの下側開口部１６を閉塞する下側長フラップ２４，３４を開閉可能に設け、この下側開口部１６の下側開口縁部１８を形成する折り目４４，６４に、下側長フラップ２４，３４に対向する支持面５２，７２を備えた支持台部４５，６５をそれぞれ設け、被梱包物２を内側面に保持しこの被梱包物２の周縁部より外方に突出した中蓋部８１の突出縁部８３の両端部を、被梱包物２を箱本体４の内方に向けて支持面５２，７２で支持して、下側長フラップ２４，３４と支持面５２，７２とにより下側長フラップ２４，３４を閉じた状態で挟持固定する。この結果、中蓋部８１の内側面に保持された被梱包物２が中蓋部８１とともに下側長フラップ２４，３４と支持面５２，７２とにより挟持固定されて箱本体４内で動くことがないため、例えば発泡ウレタン、あるいは気泡緩衝シートなどの保護材を箱本体４内に封入する必要がなく、被梱包物２を容易に梱包できる。
【００８３】
また、支持台部４５，６５の支持面５２，７２における外側縁部に突出し中蓋部８１の突出縁部８３を位置決め保持する位置決め部５３，７３を設けたことにより、中蓋部８１とともに封止された被梱包物２を位置決め部５３，７３にて位置決め保持して箱本体４内に収容できるので、被梱包物２が箱本体４に対して位置ずれすることなく、被梱包物２をより容易に梱包できる。
【００８４】
さらに、下側開口部１６の下側開口縁部１８から延出した一部を折り曲げて支持台部４５，６５を設けたことにより、支持台部４５，６５を容易に設けることができるとともに、位置決め部５３，７３が支持台部４５，６５の折り曲げにより支持面５２，７２の外側縁部に支持面５２，７２に対して突出して切り起こし形成されることにより、支持台部４５，６５を折り曲げるだけで板紙材３を有効に利用しつつ位置決め部５３，７３を容易に形成できる。
【００８５】
そして、上側開口部１５に上側短フラップ４２，６２を設け、これら上側短フラップ４２，６２の貫通孔４３，６３に挿通されて支持台部４５，６５を上側短フラップ４２，６２に固定する突出片部５６，７６を支持台部４５，６５の先端側に設けたことにより、支持台部４５，６５の突出片部５６，７６により支持台部４５，６５が上側短フラップ４２，６２に固定され、中蓋部８１および被梱包物２をより確実に支持面５２，７２にて支持できる。
【００８６】
また、突出片部５６，７６により上側短フラップ４２，６２が第１および第２の端板部５，９に略直交した状態で上側開口部１５に対向して保持されるため、箱本体４の上側開口部１５を上側長フラップ２２，３２で閉塞する際にこれら上側短フラップ４２，６２が上側長フラップ２２，３２を妨げず、容易に閉塞できる。
【００８７】
さらに、支持台部４５，６５の先端側の折り曲げにより突出片部５６，７６が切り起こし形成されることにより、板紙材３を有効に利用しつつ突出片部５６，７６を容易に形成できる。
【００８８】
そして、透明なフィルム８４にて中蓋部８１と被梱包物２とを一体に封止したことにより、フィルム８４を介して被梱包物２を容易に目視確認できる。
【００８９】
また、中蓋部８１を箱本体４の下側開口部１６に支持したことにより、被梱包物２が上側になった状態で箱本体４に収容されるため、例えば梱包箱１の梱包を上側から解いた際に、上側開口部１５から被梱包物２を臨むことができるので、被梱包物２を容易に目視確認できる。
【００９０】
さらに、第１および第２の側板部７，１２を第１および第２の端板部５，９よりも板紙材３の厚さ寸法分、すなわち中蓋部８１の板紙材８２の厚さ寸法分下側に突出させたことにより、中蓋部８１を下側長フラップ２４，３４と支持面５２，７２とで挟持した際に、板紙材８２の厚さ寸法により第１および第２の端板部５，９と第１および第２の側板部７，１２との高さ寸法が略等しくなるため、中蓋部８１が箱本体４から下方に突出せず、梱包箱１を安定できる。
【００９１】
そして、下側長フラップ２４，３４に切欠部２５，３５を設けたことにより、下側長フラップ２４，３４を閉じた際に位置決め部５３，７３が切欠部２５，３５に嵌合するため、位置決め部５３，７３が下側長フラップ２４，３４に干渉しなくできる。
【００９２】
なお、上記一実施の形態において、支持台部４５，６５は第１および第２の側板部７，１２側に設けてもよい。
【００９３】
また、箱本体４は、上下逆転させて中蓋部８１を上側で支持する構造にしてもよい。
【００９４】
さらに、第１および第２の端板部５，９と第１および第２の側板部７，１２との高さ寸法は、被梱包物２の突出寸法に応じて設定する。
【００９５】
そして、第１の端板部５の幅方向における折り目６と反対側の側部に接合部１４を接合する際には、例えばステープラによる接合など、両面テープと異なる方法で接合してもよい。
【００９６】
【発明の効果】
請求項１記載の梱包箱によれば、被梱包物を収容可能な箱本体の上側および下側の少なくともいずれか一方の開口部に、閉じた状態でこの開口部を閉塞する蓋部を開閉可能に設け、この開口部の互いに対向する少なくとも一対の開口縁部に、蓋部に対向する支持面を備えた対をなす支持台部をそれぞれ設け、被梱包物を内側面に保持しこの被梱包物の周縁部より外方に突出した中蓋部の突出縁部の少なくとも一部を、被梱包物を箱本体の内方に向けて支持面で支持して、蓋部と支持台部の支持面とにより蓋部を閉じた状態で挟持固定する。この結果、中蓋部の内側面に保持された被梱包物が中蓋部とともに蓋部と支持台部の支持面とにより挟持固定されて箱本体内で動くことがないため、例えば保護材などを箱本体内に封入する必要がなく、被梱包物を容易に梱包できる。
【００９７】
請求項２記載の梱包箱によれば、支持台部の支持面における外側縁部に突出し中蓋部の突出縁部を位置決め保持する位置決め部を設けることにより、中蓋部とともに封止された被梱包物を位置決め部にて位置決め保持して箱本体内に収容できるので、被梱包物が箱本体に対して位置ずれすることなく、被梱包物をより容易に梱包できる。
【００９８】
請求項３記載の梱包箱によれば、箱本体の蓋部が設けられた開口縁部から延出した一部を折り曲げて支持台部を設けることにより、支持台部を容易に設けることができる。
【００９９】
請求項４記載の梱包箱によれば、箱本体の蓋部が設けられた開口縁部から延出した一部を折り曲げて支持台部を設け、位置決め部がこの支持台部の折り曲げにより支持面の外側縁部に支持面に対して突出して切り起こし形成されることにより、支持台部を折り曲げるだけで板紙材を有効に利用しつつ位置決め部を容易に形成できる。
【０１００】
請求項５記載の梱包箱によれば、箱本体における蓋部が設けられた開口部と反対側の開口部に、貫通孔を備えこの開口部の少なくとも一部を閉塞する蓋板部を設け、支持台部の先端側に、貫通孔に挿通されて支持台部を蓋板部に固定する突出片部を設けることにより、支持台部の突出片部により支持台部が蓋板部に固定され、中蓋部および被梱包物をより確実に支持面にて支持できる。
【０１０１】
請求項６記載の梱包箱によれば、支持台部の先端側の折り曲げにより突出片部が切り起こし形成されることにより、板紙材を有効に利用しつつ突出片部を容易に形成できる。
【０１０２】
請求項７記載の梱包箱によれば、透明なフィルムにて中蓋部と被梱包物とを一体に封止することにより、フィルムを介して被梱包物を容易に目視確認できる。
【０１０３】
請求項８記載の梱包箱によれば、中蓋部を箱本体の下側の開口部に支持することにより、被梱包物が上側になった状態で箱本体に収容されるため、上側の開口部から被梱包物を臨むことができるので、被梱包物を容易に目視確認できる。
【図面の簡単な説明】
【図１】本発明の梱包箱の一実施の形態を示す斜視図である。
【図２】同上梱包箱の箱本体を示す展開図である。
【図３】同上梱包箱の箱本体の一部を拡大して示す斜視図である。
【符号の説明】
１　　梱包箱
３　　板紙材
４　　箱本体
１６　　開口部としての下側開口部
１８　　開口縁部としての下側開口縁部
２４，３４　　蓋部としての下側長フラップ
４２，６２　　蓋板部としての上側短フラップ
４３，６３　　貫通孔
４５，６５　　支持台部
５２，７２　　支持面
５３，７３　　位置決め部
５６，７６　　突出片部
８１　　中蓋部
８３　　突出縁部
８４　　フィルム
【図１】
2004083027.tif 000003
【図２】
2004083027.tif 000004
【図３】
2004083027.tif 000005